【手続補正書】
【提出日】平成17年8月15日(2005.8.15)
【手続補正１】
【補正対象書類名】特許請求の範囲
【補正対象項目名】全文
【補正方法】変更
【補正の内容】
【特許請求の範囲】
【請求項１】
ブロードキャスト通信システムでのセットマネージメントのための方法において、
セクタの第１のセットを識別する第１のリストを加入者局に提供し、
加入者局において、識別された各セクタにより送信されるフォワードリンクの品質メトリックを測定し、
測定された品質メトリックが第１の予め定められたレベルを越えるセクタの識別子を加入者局における第１のリストから除去し、
セクタの識別子を加入者局におけるセクタの第２のセットを識別する第２のリストに置き、
加入者局において、第１または第２のセットにリストアップされていないすべてのセクタを識別するセクタの第３のセットを識別する第３のリストを発生させ、
測定された品質メトリックが第１の予め定められたレベルを越えるセクタの識別子を第３のセットから除去し、
セクタの識別子を第２のリストに置くことを含む方法。
【請求項２】
ブロードキャスト通信システムでのセットマネージメントのための方法において、
セクタの第１のセットを識別する第１のリストを加入者局に提供し、
加入者局において、第１のリストで識別された各セクタにより送信されるフォワードリンクの品質メトリックを測定し、
測定された品質メトリックが第１の予め定められたレベルを越えるセクタの識別子を加入者局における第１のリストから除去し、
セクタの識別子を加入者局におけるセクタの第２のセットを識別する第２のリストに置き、
加入者局において、測定された品質メトリックにしたがって、セクタの第３のセットを識別する第３のリストを発生させることを含み、
加入者局において、測定された品質メトリックにしたがって、セクタの第３のセットを識別する第３のリストを発生させることは、
測定された品質メトリックが第２の予め定められたレベルを越えるセクタの識別子を第２のリストから除去し、
セクタの識別子を第３のリストに置くことを含む方法。
【請求項３】
測定された品質メトリックが第１の予め定められたレベルより下に落ちたセクタの識別子を第２のリストから除去し、
セクタの識別子を第１のリストに置くことをさらに含む請求項２記載の方法。
【請求項４】
ブロードキャスト通信システムでのセットマネージメントのための方法において、
セクタの第１のセットを識別する第１のリストを加入者局に提供し、
加入者局において、第１のリストで識別された各セクタにより送信されるフォワードリンクの品質メトリックを測定し、
測定された品質メトリックが第１の予め定められたレベルを越えるセクタの識別子を加入者局における第１のリストから除去し、
セクタの識別子を加入者局におけるセクタの第２のセットを識別する第２のリストに置き、
加入者局において、測定された品質メトリックにしたがって、セクタの第３のセットを識別する第３のリストを発生させることを含み、
加入者局において、測定された品質メトリックにしたがって、セクタの第３のセットを識別する第３のリストを発生させることは、
セクタの識別子が第２のリストに置かれたときにタイマーを開始し、
タイマーが終了し、セクタの品質メトリックが第２の予め定められたレベルより上であるときに、セクタの識別子を第２のリストから除去し、
セクタの識別子を第３のリストに置くことを含む方法。
【請求項５】
セクタの品質メトリックが第２の予め定められたレベルより下に落ちたときに、タイマーを停止することをさらに含む請求項４記載の方法。
【請求項６】
セクタの品質メトリックが第１の予め定められたレベルより下に落ちたときに、セクタの識別子を第２のリストから除去し、
セクタの識別子を第１のリストに置くことをさらに含む請求項５記載の方法。
【請求項７】
ブロードキャスト通信システムでのセットマネージメントのための方法において、
セクタの第１のセットを識別する第１のリストを加入者局に提供し、
加入者局において、第１のリストで識別された各セクタにより送信されるフォワードリンクの品質メトリックを測定し、
測定された品質メトリックが第１の予め定められたレベルを越えるセクタの識別子を加入者局における第１のリストから除去し、
セクタの識別子を加入者局におけるセクタの第２のセットを識別する第２のリストに置き、
加入者局において、測定された品質メトリックにしたがって、セクタの第３のセットを識別する第３のリストを発生させ、
測定された品質メトリックが予め定められた時間に対して第２の予め定められたレベルより下に落ちたセクタの識別子を第３のリストから除去し、
セクタの識別子を第１のリストに置くことを含む方法。
【請求項８】
ブロードキャスト通信システムでのセットマネージメントのための方法において、
セクタの第１のセットを識別する第１のリストを加入者局に提供し、
加入者局において、第１のリストで識別された各セクタにより送信されるフォワードリンクの品質メトリックを測定し、
測定された品質メトリックが第１の予め定められたレベルを越えるセクタの識別子を加入者局における第１のリストから除去し、
セクタの識別子を加入者局におけるセクタの第２のセットを識別する第２のリストに置き、
加入者局において、測定された品質メトリックにしたがって、セクタの第３のセットを識別する第３のリストを発生させ、
加入者局において、第１、第２または第３のセットにリストアップされていないすべてのセクタを識別するセクタの第４のセットを識別する第４のリストを発生させ、
測定された品質メトリックが第１の予め定められたレベルを越えるセクタの識別子を第４のセットから除去し、
セクタの識別子を第２のリストに置くことを含む方法。
【請求項９】
ブロードキャスト通信システム中で、第１のセクタにより送信されるブロードキャストチャネルを受信する加入者局を、第１のセクタによりカバーされる領域から異なるセクタによりカバーされる領域に移行させる方法において、
加入者局において、第２のセクタにより送信されるブロードキャストチャネルの構成を決定し、
第２のセクタにより送信されるブロードキャストチャネルの決定された構成にしたがって、第１のセクタによりカバーされるカバレッジ領域から移行させることを含み、
加入者局において、第２のセクタにより送信されるブロードキャストチャネルの構成を決定することは、
加入者局において、第１のセクタにより送信される第２のセクタのブロードキャストチャネルに対する構成パラメータを受信することを含み、第２のセクタのブロードキャストチャネルに対する構成パラメータは、第２のセクタがブロードキャストチャネルを送信しないことを示し、
第２のセクタにより送信されるブロードキャストチャネルの決定された構成にしたがって、第１のセクタによりカバーされるカバレッジ領域から移行させることは、
ブロードキャストチャネルを送信するように構成された第３のセクタを識別し、
第１のセクタから識別された第３のセクタへのハンドオフを実行することを含む方法。
【請求項１０】
ブロードキャストチャネルを送信するように構成された第３のセクタを識別することは、
加入者局において、第１のセクタにより送信される第３のセクタのブロードキャストチャネルに対する構成パラメータを受信することを含み、第３のセクタのブロードキャストチャネルに対する構成パラメータは第２のセクタがブロードキャストチャネルを送信することを示し、
第３のセクタにおけるフォワードリンクの品質メトリックが十分であることを決定することを含む請求項９記載の方法。
【請求項１１】
第１のセクタから識別された第３のセクタへのハンドオフを実行することは、
第３のセクタのブロードキャストチャネルに対する構成パラメータと第１のセクタのブロードキャストチャネルに対する構成パラメータとの間の関係にしたがってハンドオフを実行することを含む請求項１０記載の方法。
【請求項１２】
第３のセクタが識別されなかった場合に、第１のセクタから第２のセクタへのアイドルハンドオフを実行することをさらに含む請求項１１記載の方法。
【請求項１３】
ブロードキャスト通信システム中で、第１のセクタにより送信されるブロードキャストチャネルを受信する加入者局を、第１のセクタによりカバーされる領域から異なるセクタによりカバーされる領域に移行させる方法において、
加入者局において、第２のセクタにより送信されるブロードキャストチャネルの構成を決定し、
第２のセクタにより送信されるブロードキャストチャネルの決定された構成にしたがって、第１のセクタによりカバーされるカバレッジ領域から移行させることを含み、
加入者局において、第２のセクタにより送信されるブロードキャストチャネルの構成を決定することは、
加入者局において、第１のセクタにより送信される第２のセクタのブロードキャストチャネルに対する構成パラメータを受信することを含み、第２のセクタのブロードキャストチャネルに対する構成パラメータは、第２のセクタの構成が分からないことを示し、
第２のセクタにより送信されるブロードキャストチャネルの決定された構成にしたがって、第１のセクタによりカバーされるカバレッジ領域から移行させることは、
構成が分かっている第３のセクタを識別し、
第１のセクタから識別された第３のセクタへのハンドオフを実行することを含む方法。
【請求項１４】
構成が分かっている第３のセクタを識別することは、
加入者局において、第１のセクタにより送信される第３のセクタのブロードキャストチャネルに対する構成パラメータを受信することを含み、第３のセクタのブロードキャストチャネルに対する構成パラメータは、第２のセクタがブロードキャストチャネルを送信することを示し、
第３のセクタのフォワードリンクの品質メトリックが十分であることを決定することを含む請求項１３記載の方法。
【請求項１５】
第１のセクタから識別された第３のセクタへのハンドオフを実行することは、
第３のセクタのブロードキャストチャネルに対する構成パラメータと第１のセクタのブロードキャストチャネルに対する構成パラメータとの間の関係にしたがってハンドオフを実行することを含む請求項１４記載の方法。
【請求項１６】
構成が分かっている第３のセクタを識別することは、
加入者局において、ブロードキャスト通信システムのセクタにより送信される第３のセクタに対する構成パラメータを受信し、
第３のセクタにおけるフォワードリンクの品質メトリックが十分であることを決定することを含む請求項１３記載の方法。
【請求項１７】
第１のセクタから識別された第３のセクタへのハンドオフを実行することは、
第３のセクタの構成パラメータにしたがってハンドオフを実行することを含む請求項１６記載の方法。
【請求項１８】
第３のセクタを識別することが成功しない場合にシステム捕捉を実行することをさらに含む請求項１３記載の方法。
【請求項１９】
ブロードキャスト通信システム中で、第１のセクタに登録された加入者局を、第１のセクタによりカバーされる領域から異なるセクタによりカバーされる領域に移行させる方法において、
加入者局において、第２のセクタの構成を決定し、
第２のセクタの決定された構成にしたがって、第１のセクタによりカバーされるカバレッジ領域から移行させることを含み、
加入者局において、第２のセクタにより送信されるブロードキャストチャネルの構成を決定することは、
加入者局において、第１のセクタにより送信される第２のセクタに対する構成パラメータを受信することを含み、第２のセクタに対する構成パラメータは、第２のセクタの構成が分からないことを示し、
第２のセクタの決定された構成にしたがって、第１のセクタによりカバーされるカバレッジ領域から移行させることは、
構成が分かる第３のセクタを識別し、
第１のセクタから識別された第３のセクタへのハンドオフを実行することを含む方法。
【請求項２０】
構成が分かる第３のセクタを識別することは、
加入者局において、第１のセクタにより送信される第３のセクタに対するブロードキャスト構成パラメータを受信することを含み、第３のセクタに対するブロードキャスト構成パラメータは、第２のセクタの構成が分かることを示し、
第３のセクタにおけるフォワードリンクの品質メトリックが十分であることを決定することを含む請求項１９記載の方法。
【請求項２１】
第１のセクタから識別された第３のセクタへのハンドオフを実行することは、
第３のセクタに対するブロードキャスト構成パラメータと第１のセクタに対するブロードキャスト構成パラメータとの間の関係にしたがってハンドオフを実行することを含む請求項２０記載の方法。
【請求項２２】
構成が分かる第３のセクタを識別することは、
加入者局において、ブロードキャスト通信システムのセクタにより送信される第３のセクタに対する構成パラメータを受信し、
第３のセクタにおけるフォワードリンクの品質メトリックが十分であることを決定することを含む請求項１９記載の方法。
【請求項２３】
第１のセクタから識別された第３のセクタへのハンドオフを実行することは、
第３のセクタに対する構成パラメータにしたがってハンドオフを実行することを含む請求項２２記載の方法。
【請求項２４】
第３のセクタを識別することが成功しなかった場合にシステム捕捉を実行することをさらに含む請求項１９記載の方法。